(57)【特許請求の範囲】
【請求項１】
建材を取り付ける取付材にこの取付材側から前記建材を貫通延出して配設される引き寄せ部材と、少なくとも一部に前記取付材とは反対側へ前記建材から突出する突出部を有し、前記引き寄せ部材の先端が連結されるこの突出部が前記引き寄せ部材による前記取付材側への引き寄せ操作により引き寄せ部材延び方向と直角方向へ弾性膨出変形して前記建材を前記取付材側へ押圧する弾性部材とを含んで構成されることを特徴とする建材の固定具。
【請求項２】
請求項１に記載の建材の固定具において、前記建材の少なくとも前記取付材側の面は凹凸状となっており、この面には前記引き寄せ部材が貫通するスペーサが当てがわれ、かつこのスペーサは前記面と対応する形状を有していることを特徴とする建材の固定具。
【請求項３】
請求項１また２に記載の建材の固定具において、前記引き寄せ部材は前記取付材に係止される係止部材に設けられ、この係止部材の前記取付材への係止によりこの係止部材を介して前記引き寄せ部材は前記取付材に配設されることを特徴とする建材の固定具。
【請求項４】
請求項１〜３のいずれかに記載の建材の固定具において、前記引き寄せ部材は雄ねじ部材であって、前記弾性部材の前記突出部にはこの雄ねじ部材の先端が螺合する雌ねじ部材が配置され、前記雄ねじ部材の回転操作で前記雌ねじ部材を介して前記突出部が前記取付材側へ引き寄せられることを特徴とする建材の固定具。
【請求項５】
請求項１〜４のいずれかに記載の建材の固定具において、前記建材は屋根葺き材であることを特徴とする建材の固定具。
【請求項６】
取付材に複数の建材を順番に並べて固定する建材の固定方法において、１番目の建材から最後より２番目までの建材を前記取付材に順番に固定した後、前記建材の厚さ方向に延びる引き寄せ部材と、この引き寄せ部材の外周に嵌合され、かつ引き寄せ部材の先端に先部が連結された弾性部材とを含んで構成された固定具における前記引き寄せ部材の先端と前記弾性部材の先部とを前記取付材側から最後の建材に貫通挿入し、前記取付材に配設された前記引き寄せ部材による前記弾性部材の先部の前記取付材側への引き寄せ操作により、前記弾性部材を前記引き寄せ部材の延び方向と直角方向へ弾性膨出変形させて前記建材を前記取付材側へ押圧することを特徴とする建材の固定方法。
【発明の詳細な説明】
【０００１】
【発明の属する技術分野】
本発明は、建材を取付材に固定するための固定具、およびその固定方法に係り、例えば、テラスやベランダ等の屋根葺き材、あるいは壁材、床材、天井材等の建材を取付材に取り付けるときに利用できるものである。
【０００２】
【背景技術】
住宅の例えばテラスやベランダに設けられる屋根は、建材である複数枚の屋根葺き材を取付材である野縁の上面に並べ、これらの屋根葺き材を順番に固定具で取付材に固定することにより形成される。従来の固定具は、屋根葺き材に形成された孔に上方から差し込んでその下端を野縁に係止し、これにより屋根葺き材を上側から野縁に固定するものであった。
【０００３】
【発明が解決しようとする課題】
従来、このような固定具を使用して屋根葺き材の固定作業を行う場合、順番に野縁に並設される複数枚の屋根葺き材のうちの最後から２番目までの屋根葺き材については、作業者が屋根の上に乗らず、脚立等による作業足場に乗った作業者が、まだ野縁の上面に載せられていない屋根葺き材の配置箇所の空き空間から上半身を屋根上に乗り出すことにより、屋根葺き材の固定作業を比較的容易に行うことが可能であるが、最後の屋根葺き材については、作業者が上半身を乗り出す空き空間はなくなっているため、作業者が屋根の上に乗ってこの屋根葺き材の固定作業を行わなければならず、このため、この作業に多くの手間と時間がかかり、作業コストも高くなるという問題があった。
【０００４】
本発明の目的は、野縁等の取付材に固定される屋根葺き材等の建材を取付材側からの作業で固定でき、作業性の向上を図ることができるようになる建材の固定具および建材の固定方法を提供するところにある。
【０００５】
【課題を解決するための手段】
本発明に係る建材の固定具は、建材を取り付ける取付材にこの取付材側から建材を貫通延出して配設される引き寄せ部材と、少なくとも一部に取付材とは反対側へ建材から突出する突出部を有し、引き寄せ部材の先端が連結されるこの突出部が引き寄せ部材による取付材側への引き寄せ操作により引き寄せ部材延び方向と直角方向へ弾性膨出変形して建材を取付材側へ押圧する弾性部材とを含んで構成されることを特徴とするものである。
【０００６】
この建材の固定具では、引き寄せ部材で弾性部材の突出部を取付材側へ引き寄せることによってこの突出部が引き寄せ部材延び方向と直角方向へ弾性膨出変形することになり、これによって建材が取付材側へ押圧され、そして建材が取付材に固定されるため、建材の固定作業を引き寄せ部材で取付材側から弾性部材の突出部を引き寄せるという作業を行うことで実施でき、取付材側とは反対の建材側から作業を行う必要がなく、作業性を向上させることができる。
【０００７】
また、建材には引き寄せ部材を貫通延出させる孔を形成しなければならないが、弾性部材の突出部が引き寄せ部材で取付材側に引き寄せられたとき、この突出部は引き寄せ部材延び方向と直角方向に弾性膨出変形するためこの孔を確実に塞ぐことができ、これにより、建材から孔をなくしたと同じ状態で建材を取付材に取り付けることができる。
【０００８】
本発明に係る固定具は、前述した引き寄せ部材と弾性部材のみからなるものでもよく、また、これらに、建材の取付材側の面に当てがわれて引き寄せ部材が貫通するスペーサを加えたものでもよい。このようなスペーサを加える場合、建材の少なくとも取付材側の面が凹凸形状になっているときは、スペーサの形状を建材の取付材側の面と対応する形状にすることが好ましい。
【０００９】
このようにすると、建材が例えば波板等の異形状材料からなり、取付材側の面が大きな凹凸状になっていても、この形状をスペーサの形状で吸収した状態にして引き寄せ部材と弾性部材とにより建材を取付材に所定通り取り付けことができるようになる。
【００１０】
また、引き寄せ部材は取付材に直接配設してもよく、また、引き寄せ部材を取付材に係止される係止部材に設け、この係止部材を取付材に係止することにより、この係止部材を介して引き寄せ部材を取付材に配設するようにしてもよい。
【００１１】
前者によると、取付材に引き寄せ部材を配設するために取付材には引き寄せ部材を挿入したり係合したりする孔や欠部等を形成しなければならないが、後者によると、これらの孔、欠部等は係止部材に形成すればよく、取付材はそのままとしておくことができ、このため、取付材の形状や加工内容に変更を加える必要はなくなり、既存の取付材をそのまま使用できるという効果を得られる。
【００１２】
さらに、引き寄せ部材により取付材とは反対側へ建材から突出した弾性部材の突出部を引き寄せることができるようにするために、引き寄せ部材を棒状部材とし、この棒状部材の先端に例えばフック状の係合部を設けることにより、この係合部を弾性部材の突出部に係合することによって引き寄せ部材の先端を突出部に連結し、引き寄せ部材を取付材側へ直線的に引くことにより突出部の引き寄せを行えるようにしてもよく、また、引き寄せ部材を雄ねじ部材とし、弾性部材の突出部にはこの雄ねじ部材の先端が螺合する雌ねじ部材を設け、雄ねじ部材の回転操作により雌ねじ部材を介して突出部の引き寄せを行えるようにしてもよい。
【００１３】
しかし後者を採用した場合には、雄ねじ部材は小ねじやボルト等でよく、雌ねじ部材はナット等でよく、これらは安価で入手し易い一般の市販品となっているため、本発明にかかる固定具を安いコストで簡単に製造できるという効果を得られる。
【００１４】
また、以上の本発明に係る固定具で取付材に固定する建材は、屋根葺き材でもよく、壁材でもよく、床材でもよく、天井材でもよく、任意な建材の固定作業のために本発明に係る固定具を使用できる。
【００１５】
また建材が屋根葺き材である場合には、その屋根葺き材によって形成される屋根は、テラスの屋根でもよく、ベランダの屋根でもよく、さらにはカーポートの屋根やサンルームの屋根、物置の屋根でもよく、さらにまた、住宅等の建物の屋根ではなく、例えば、横断歩道橋等の構築物、建造物の屋根でもよい。
【００１６】
また、以上説明した本発明に係る固定具は、複数の建材を取付材に並設して固定する場合と、１個の建材を取付材に固定する場合の両方について使用できる。
【００１７】
本発明に係る建材の固定方法は、取付材に複数の建材を順番に並べて固定する建材の固定方法において、１番目の建材から最後より２番目までの建材を取付材に順番に固定した後、建材の厚さ方向に延びる引き寄せ部材と、この引き寄せ部材の外周に嵌合され、かつ引き寄せ部材の先端に先部が連結された弾性部材とを含んで構成された固定具における引き寄せ部材の先端と弾性部材の先部とを前記取付材側から最後の建材に貫通挿入し、取付材に配設された引き寄せ部材による弾性部材の先部の取付材側への引き寄せ操作により、弾性部材を前記引き寄せ部材の延び方向と直角方向へ弾性膨出変形させて前記建材を前記取付材側へ押圧することを特徴とするものである。
【００１８】
この建材の固定方法によると、取付材側から引き寄せ部材の先端と弾性部材の先部とを最後の建材に貫通挿入し、引き寄せ部材により弾性部材の先部を取付材側に引き寄せ操作することにより建材を取付材に固定することができ、取付材側からこの固定作業を容易に行える。
【００１９】
また、建材に引き寄せ部材の先端と弾性部材の先部とを貫通挿入するために建材に形成した孔は、引き寄せ部材で弾性部材の先部を引き寄せ操作したとき、引き寄せ部材の延び方向と直角方向に弾性膨出変形する弾性部材によって確実に塞がれることになり、このため、建材が屋根葺き材である場合には、雨水の漏れを防ぐことができ、また、建材が壁材、床材、天井材である場合には、風の流通を遮断することができ、建材から孔をなくしたと同じ状態にして建材を取付材に固定することができる。
【００２０】
この建材の固定方法において、１番目の建材から最後より２番目までの建材を取付材に固定する作業は、引き寄せ部材と弾性部材とを含んで構成された前記固定具とは異なる固定具を使用して行ってもよく、また、前記固定具と同じ固定具を使用して行ってもよい。言い換えると、１番目の建材から最後より２番目までの建材を取付材に固定する作業は、取付材側とは反対の建材側から行ってもよく、取付材と同じ側から行ってもよい。
【００２１】
また、１番目の建材と最後から２番目の建材とが同じ建材になっていてもよく、別の建材になっていてもよい。すなわち、本発明に係る固定方法で取付材に固定される建材は、最後の建材を含めて合計２個でもよく、３個以上でもよい。
【００２２】
【発明の実施の形態】
以下に本発明の一実施形態を図面に基づいて説明する。本実施形態は、建材が住宅のテラスの屋根葺き材である場合であり、図１は、そのテラスの屋根１の平面図で、図２は、図１のＩＩ−ＩＩ線断面図である。屋根１の構造材は図２に示す住宅躯体２から延びる垂木３であり、図１に示すように屋根１の左右方向に三本並設されているこれらの垂木３のうちの左右両側の二本の前部は支柱４で支持され、それぞれの垂木３の後端は図２で示すブラケット５で住宅躯体２に結合されている。また、屋根１の左右側部には図１で示す側枠６が配置され、屋根１の前部には前枠７が配置されている。図２で示す通り、垂木３の前端にビス等の止着具８で取り付けられているこの前枠７には、雨水流通溝７Ａが形成されており、このため、前枠７は横樋を兼ねており、図１で示すように、前枠７には縦樋９の上端が接続されている。
【００２３】
それぞれの垂木３の上面には、図２で示す通り、垂木３と直交する方向に延びる野縁１０が載せられ、合計３本あるこれらの野縁１０はビス等の止着具１１で垂木３に結合されている。それぞれの野縁１０は上面が開口した溝形鋼からなるが、片側上端には斜め下向きに延びるリップ部１０Ａが形成されている。
【００２４】
これらの野縁１０の上面に建材である屋根葺き材１２が載せられ、図１で示すように、本実施形態ではこの屋根葺き材１２は合計４枚１２Ａ〜１２Ｄあり、互いに隣接する２枚の屋根葺き材１２同士は一定幅の重ね代をもって配置され、このようにして屋根１の左右方向に並設される屋根葺き材１２は、図３、図４に示されている通り波板材からなる。
【００２５】
全部の屋根葺き材１２は野縁１０に取り付けられ、したがって野縁１０は屋根葺き材１２の取付材となっている。この取り付けのために図３で示した固定具１３と、図４および図５で示した固定具１４が使用されている。固定具１３は、図１で示されている左端から１番目の屋根葺き材１２Ａの左側端と、屋根葺き材１２Ａと１２Ｂとの重ね代部分と、屋根葺き材１２Ｂと１２Ｃとの重ね代部分とを野縁１０に固定するために用いられ、固定具１４は、屋根葺き材１２Ｃと１２Ｄとの重ね代部分と、屋根葺き材１２Ｄの右側端とを野縁１０に固定するために用いられる。
【００２６】
この固定具１４が、本発明の実施形態に係る固定具である。
【００２７】
図３で示す固定具１３は、固定具本体１５と、ゴム製の弾性部材１６とからなり、固定具本体１５は、指で摘む摘み部１５Ａが上面に形成されている上盤部１５Ｂと、この上盤部１５Ｂから下方へ延び、下端１５Ｃが斜め上向きに折り曲げられているフック部１５Ｄとからなる。弾性部材１６は厚肉状の円盤状であって、上盤部１５Ａの下面に固着されている。
【００２８】
また、図４および図５で示す固定具１４は、上向きの雄ねじ部材からなる引き寄せ部材１７と、この引き寄せ部材１７が貫通する孔１８Ａが形成されているスペーサ１８と、このスペーサ１８の孔１８Ａから突出する引き寄せ部材１７が挿入される孔１９Ａが設けられている弾性部材１９と、この弾性部材１９の先端に固着され、引き寄せ部材１７の先端が螺入する雌ねじ部材２０とからなる。スペーサ１８の下面１８Ｂは平坦面であるが、上面１８Ｃは上向きに凸の湾曲面となっており、このため、スペーサ１８は、波板からなる屋根葺き材１２における野縁１０側の凹凸面の上側に凹となった湾曲面と対応する形状を有している。また、ゴム製である弾性部材１９の全体形状は筒状で、スペーサ１８側の基端部１９Ｂは大径部となっており、この基端部１９Ｂから基端部１９Ｂよりも小径となった筒部１９Ｃが上向きに延び、これらの基端部１９Ｂと筒部１９Ｃを貫通して形成されている上記孔１９Ａにおける筒部１９Ｃの先端部に上記雌ねじ部材２０が固着されている。
【００２９】
以上の固定具１４は野縁１０に配設されて前述したように屋根葺き材１２Ｃと１２Ｄとの重ね代部分と、屋根葺き材１２Ｄの右側端とを野縁１０に固定するために用いられるが、野縁１０への固定具１４の配設は、図４および図５で示す係止部材２１を使用して行われるようになっている。この係止部材２１は板金の折り曲げからなり、上向きに延びる第１起立部２１Ａと、この第１起立部２１Ａの下端から第１起立部２１Ａに対して直角方向に延びる第１延出部２１Ｂと、この第１延出部２１Ｂの第１起立部２１Ａとは反対側の端部から上向きに延びる第２起立部２１Ｃと、この第２起立部２１Ｃの上端から第１起立部２１Ａとは反対側に第２起立部２１Ｃに対して直角方向に延びる第２延出部２１Ｄとからなる。
【００３０】
第１起立部２１Ａと第２起立部２１Ｃとの間の内幅寸法は野縁１０の外幅寸法と対応しており、また、第２起立部２１Ｃの高さ寸法は野縁１０の上下寸法と対応している。このため、図５で示す通り、第１起立部２１Ａと第２起立部２１Ｃとの間に野縁１０を圧入するようにして係止部材２１を野縁１０に係止することができるとともに、この係止を行ったとき、第２延出部２１Ｄは野縁１０の上面高さと一致している。
【００３１】
また、図４で示すように、第２延出部２１Ｄには、固定具１４の引き寄せ部材１７の軸部を下側から挿入できるとともに引き寄せ部材１７の頭部１７Ａが係止される長孔２２が形成され、この長孔２２は野縁１０の延設方向に対して直角方向に長くなっている。
【００３２】
図２に示す通り、前記前枠７の上部にはカバー２３が被せられ、屋根１の左右方向に並設された合計４枚のそれぞれの屋根葺き材１２の先端部を覆うこのカバー２３により、前枠７の前記雨水流通溝７Ａに落ち葉等の異物が入るのを防止するようになっており、カバー２３は、前枠７の係止部７Ｂに被係止部２３Ａが係止されることにより前枠７に取り付けられる。
【００３３】
次ぎに、合計４枚の屋根葺き材１２の取付作業を説明する。この取付作業は、カバー２３を前枠７に取り付ける前に行う。
【００３４】
先ず、図１の左端から１番目の屋根葺き材１２Ａを所定位置に配置し、この後、この屋根葺き材１２Ａの左側端に予め設けられている孔（図３の孔２４参照）に、屋根葺き材１２Ａの上方から、図３の固定具１３のフック部１５Ｄを固定具１３全体を斜めにすることにより下端１５Ｃから挿入し、下端１５Ｃを孔に挿入した後に固定具１３全体を直立姿勢に戻し、この後、固定具１３を下方に強く押して弾性部材１６を屋根葺き材１２Ａの上面との間で圧縮変形させるとともに、固定具１３のフック部１５Ｄを図２で示すように野縁１０の前記リップ部１０Ａに係止する。これにより、屋根葺き材１２Ａの左側端は固定具１３で野縁１０に固定される。
【００３５】
次いで、図１の左端から２番目の屋根葺き材１２Ｂを屋根葺き材１２Ａとの重ね代を設けながら所定位置に配置し、この重ね代に形成されているそれぞれの屋根葺き材１２Ａ，１２Ｂの孔２４に前述と同じようにして固定具１３を挿入することにより、固定具１３で屋根葺き材１２Ａと１２Ｂの重ね代部分を野縁１０に固定する。以下同様にして、図１の左端から３番目の屋根葺き材１２Ｃを屋根葺き材１２Ｂとの重ね代を設けて所定位置に配置し、この重ね代部分を固定具１３で野縁１０に固定する作業を行う。
【００３６】
これまでの作業は、屋根１の下に作業足場である脚立を立て、その上に作業者が乗り、まだ屋根葺き材が配置されていない空き空間から作業者が上半身を屋根１の上部に乗り出して行う。
【００３７】
次いで、図１の左端から４番目、すなわち右側から１番目の屋根葺き材１２Ｄを配置すべき空き空間の下方からこの屋根葺き材１２Ｄを屋根葺き材１２Ｃの上部に持ち出し、屋根葺き材１２Ｄを屋根葺き材１２Ｃとの重ね代を設けて所定位置に配置する。この後、図４の固定具１４の引き寄せ部材１７を係止部材２１の長孔２２に下方から挿入し、長孔２２から突出した引き寄せ部材１７の軸部をスペーサ１８の孔１８Ａ、弾性部材１９の孔１９Ａに順次挿入し、引き寄せ部材１７を軽く回転させることにより、引き寄せ部材１７の先部の雄ねじ部を弾性部材１９の雌ねじ部材２０に少し螺合させておく。
【００３８】
この後、弾性部材１９の先部を屋根葺き材１２Ｃと１２Ｄとの重ね代部分に形成されている孔２４に挿入しながら、係止部材２１を固定具１４と共に持ち上げ、これによって係止部材２１の第１起立部２１Ａと第２起立部２１Ｃとの間に野縁１０を圧入し、この圧入により係止部材２１を野縁１０に係止する。このとき、固定具１４の位置が孔２４の位置と一致しておらず、このため弾性部材１９の先部を孔２４に挿入できないときには、係止部材２１を野縁１０に沿ってスライドさせ、引き寄せ部材１７を長孔２２に沿って移動させることにより、固定具１４の位置を２次元に変更できるため、必ず弾性部材１９の先部を孔２４に挿入することができ、これにより、図５で示す通り、弾性部材１９に、２枚の屋根葺き材１２Ｃ，１２Ｄの重ね代部分を貫通延出して野縁１０とは反対側に突出した突出部２５を設けることができる。
【００３９】
この後、図５で示すように、係止部材２１の第２延出部２１Ｄの下面に係止されている雄ねじ部材からなる引き寄せ部材１７の頭部１７Ａを下方から、言い換えると野縁１０側からドライバ等の工具で回転操作し、これにより、引き寄せ部材１７の回転による引き寄せ力を雌ねじ部材２０を介して弾性部材１９の先部に作用させる。この結果、引き寄せ部材１７の先端が雌ねじ部材２０を介して連結されている弾性部材１９の前記突出部２５には、引き寄せ部材１７の延び方向と直角方向に弾性膨出変形した変形部２６ができ、この変形部２６によって屋根葺き材１２Ｃと１２Ｄの重ね代部分は弾性部材１９の基端部１９Ｂおよびスペーサ１８を介して係止部材２１の第２延出部２１Ｄに押圧され、係止部材２１は野縁１０に取り付けられているため、屋根葺き材１２Ｃと１２Ｄの重ね代部分は係止部材２１を介して野縁１０に固定されることになる。
【００４０】
次いで、屋根葺き材１２Ｄの右側端を以上と同じようにして固定具１４で野縁１０に固定する。
【００４１】
そして、最後に図２で示したカバー２３を前枠７の上部に被せ、前枠７の係止部７Ｂにカバー２３の被係止部２３Ａを係止することにより、カバー２３を前枠７に固定する。
【００４２】
以上説明した本実施形態によると、合計４枚の屋根葺き材１２Ａ〜１２Ｄのうち、最後に配置される図１の左端から４番目の屋根葺き材１２Ｄは、屋根葺き材１２の厚さ方向に延びる引き寄せ部材１７と、この引き寄せ部材１７が貫通挿入されたスペーサ１８と、引き寄せ部材の外周に嵌合された弾性部材１９と、この弾性部材１９の先部に固着された雌ねじ部材２０とからなる固定具１４で野縁１０に固定され、この固定具１４は、引き寄せ部材１７を回転させることによって行う雌ねじ部材２０を介した弾性部材１９の突出部２５の引き寄せ操作を、屋根１の上方ではなく、屋根１の下方である野縁１０側から実施することによって屋根葺き材１２Ｄを野縁１０に固定するものであるため、全部の屋根葺き材１２Ａ〜１２Ｄが所定に配置され、したがって作業者が屋根１の上方に上半身を乗り出す空き空間がなくなっていても、作業者が屋根１の上に登って最後の屋根葺き材１２Ｄを野縁１０に固定する作業を行う必要がなく、この屋根葺き材固定作業を容易かつ短時間で行え、作業コストを低減できる。
【００４３】
また、引き寄せ部材１７の回転操作で雌ねじ部材２０を介して弾性部材１９の突出部２５が野縁１０側に引き寄せられたとき、引き寄せ部材１７の外周に嵌合されている弾性部材１９の突出部２５には、引き寄せ部材１７の延び方向と直角方向に弾性膨出変形した変形部２６ができ、この変形部２６によって弾性部材１９を貫通挿入させた屋根葺き材１２Ｃ，１２Ｄの図４で示した孔２４は確実に塞がれるため、図３の固定具１３の圧縮される弾性部材１６の作用と同じく、孔２４からの雨漏れを防止することができる。
【００４４】
また、屋根葺き材１２が波板材料からなり、このため、屋根葺き材１２の下面が凹凸面となっていても、固定具１４はこの下面の湾曲凹部と対応した形状を有するスペーサ１８を含んで構成されており、このスペーサ１８の凸状の上面１８Ｃが屋根葺き材１２の下面の凹面に当てがわれるため、スペーサ１８で屋根葺き材１２の湾曲凹部を吸収した状態で固定具１４を配置でき、この結果、波板である屋根葺き材１２を所定通り確実に野縁１０に固定できる。
【００４５】
さらに、固定具１４は野縁１０に直接配設されるのではなく、野縁１０に係止される係止部材２１を介して野縁１０に配設されるため、野縁１０には固定具１４の引き寄せ部材１７を挿入するための長孔２２を形成する必要がなく、長孔２２は係止部材２１に形成すればよいため、屋根１の主要部材である野縁１０を本来の形状のままとしておくことができ、特別の加工を施す必要がなく、そして、既存の野縁１０にも本実施形態に係る固定具１４を適用できるようになる。
【００４６】
また、引き寄せ部材１７は雄ねじ部材であるため、この引き寄せ部材１７を小ねじで形成できるとともに、引き寄せ部材１７の先端を弾性部材１９の先部に連結するためには、この弾性部材１９の先部に雌ねじ部材２０としてのナットを固着すればよく、これらの小ねじとナットは一般に市販されている部品であるため、固定具１４を安価に製造できる。
【００４７】
さらに、引き寄せ部材１７で弾性部材１９の突出部２５を野縁１０側に引き寄せるためには、引き寄せ部材１７をドライバ等の工具で回転させるだけでよいため、この作業操作を容易に行え、また、作業者は突出部２５に弾性膨出変形した変形部２６を大きな力を入れず容易に形成することもできる。
【００４８】
なお、以上説明した実施形態において、図３の固定具１３を一切使用せず、全部の屋根葺き材１２Ａ〜１２Ｄを、固定具１４を使用した野縁１０側からの作業で固定するようにしてもよい。
【００４９】
【発明の効果】
本発明によると、野縁等の取付材に固定される屋根葺き材等の建材を取付材側からの作業で固定でき、作業性の向上を図ることができるという効果を得られる。
【図面の簡単な説明】
【図１】本発明の実施形態に係る固定具で屋根葺き材が野縁に固定される住宅のテラスの屋根を示す平面図である。
【図２】図１のＩＩ−ＩＩ線断面図である。
【図３】図１の左端から３番目までの屋根葺き材（左端から３番目の屋根葺き材と同４番目の屋根葺き材との重ね代部分を除く）を野縁に固定するための固定具による固定作業前を示す屋根の要部斜視図である。
【図４】図１の左端から４番目の屋根葺き材（左端から３番目の屋根葺き材と同４番目の屋根葺き材との重ね代部分を含む）を野縁に固定するための固定具による固定作業前を示す屋根の要部斜視図である。
【図５】図４の固定具による屋根葺き材の野縁への固定後を示す図１のＶ−Ｖ線断面図である。
【符号の説明】
１  屋根
３  垂木
１０  取付材である野縁
１２  建材である屋根葺き材
１４  固定具
１７  雄ねじ部材による引き寄せ部材
１８  スペーサ
１９  弾性部材
２０  雌ねじ部材
２１  係止部材
２５  突出部
２６  弾性膨出変形部
【図１】
0003626349.tif 000002
【図２】
0003626349.tif 000003
【図３】
0003626349.tif 000004
【図４】
0003626349.tif 000005
【図５】
0003626349.tif 000006